(57)【特許請求の範囲】
【請求項１】
第１の無線基地局と、該第１の無線基地局のサービスエリア内に位置し、前記第１の無線基地局より小さいサービスエリアを有する第２の無線基地局と、前記第１及び第２の無線基地局を制御する通信制御装置とを備える移動通信システムであって、
前記通信制御装置は、
前記第１の無線基地局に対して、通信用パラメータの調整を制御する無線基地局制御部と、
前記第１の無線基地局の通信用パラメータに変更がある場合に、前記通信用パラメータに変更があった第１の無線基地局のサービスエリア内に位置する前記第２の無線基地局に対して、前記第１の無線基地局の無線品質を測定するように指示する測定指示部と、
前記第２の無線基地局が測定する前記無線品質を取得する測定取得部と、
前記無線品質に基づいて、前記第１の無線基地局の通信用パラメータの調整を行うか否かを判断する最適化判断部と
を備え、
前記第２の無線基地局は、
前記通信制御装置から送信される前記無線品質の測定指示を受信する受信部と、
前記通信制御装置からの指示により指定された前記第１の無線基地局の前記無線品質を測定する測定部と、
測定した前記無線品質を前記通信制御装置に送信する送信部と
を備えることを特徴とする移動通信システム。
【請求項２】
当該移動通信システムは、前記第１及び第２の無線基地局の夫々と接続可能な無線端末を更に備え、
前記測定指示部は、前記通信用パラメータに変更があった第１の無線基地局のサービスエリア内に位置する前記無線端末に対して、前記第１の無線基地局の前記無線品質を測定するよう指示し、
前記測定取得部は、前記無線端末が測定する前記無線品質を取得することを特徴とする請求項１に記載の移動通信システム。
【請求項３】
前記測定指示部は、前記通信用パラメータに変更があった第１の無線基地局のサービスエリア内に位置する前記無線端末のうち、前記第２の無線基地局の送信電波を受信しない前記無線端末に対して、前記第１の無線基地局の前記無線品質を測定するよう指示することを特徴とする請求項２記載の移動通信システム。
【請求項４】
前記最適化判断部は、前記第１の無線基地局における前記通信用パラメータの変更前の前記無線品質及び変更後の前記無線品質を比較することで、更なる前記通信用パラメータの調整が必要であるか否かを判断することを特徴とする請求項１から３のいずれか一項に記載の移動通信システム。
【請求項５】
前記測定指示部は、前記第１の無線基地局における前記通信用パラメータの変更前の前記無線品質に基づいて、該通信用パラメータの変更が測定される前記無線品質に影響すると判断される前記第２の無線基地局に対して、前記第１の無線基地局の前記無線品質を測定するよう指示することを特徴とする請求項１から４のいずれか一項に記載の移動通信システム。
【請求項６】
前記通信制御装置は、前記第１の無線基地局に係る障害情報を前記無線端末から取得する障害情報取得部を更に備え、
前記測定指示部は、前記障害情報から特定される障害発生箇所に位置する前記第２の無線基地局に対して、前記第１の無線基地局の前記無線品質を測定するよう指示することを特徴とする請求項１から５のいずれか一項に記載の移動通信システム。
【請求項７】
第１の無線基地局、及び該第１の無線基地局のサービスエリア内に位置し、前記第１の無線基地局より小さいサービスエリアを有する第２の無線基地局を制御する通信制御装置であって、
前記第１の無線基地局に対して、通信用パラメータの調整を制御する無線基地局制御部と、
前記第１の無線基地局の通信用パラメータに変更がある場合に、前記通信用パラメータに変更があった第１の無線基地局のサービスエリア内に位置する前記第２の無線基地局に対して、前記第１の無線基地局の無線品質を測定するように指示する測定指示部と、
前記第２の無線基地局が測定する前記無線品質を取得する測定取得部と、
前記無線品質に基づいて、前記第１の無線基地局の通信用パラメータの調整を行うか否かを判断する最適化判断部と
を備えることを特徴とする通信制御装置。
【請求項８】
第１の無線基地局と、該第１の無線基地局のサービスエリア内に位置し、前記第１の無線基地局より小さいサービスエリアを有する第２の無線基地局と、前記第１及び第２の無線基地局を制御する通信制御装置とを備える移動通信システムにおける通信制御方法であって、
前記第１の無線基地局の通信用パラメータの調整を制御する無線基地局制御工程と、
前記第１の無線基地局の通信用パラメータに変更がある場合に、前記通信用パラメータに変更があった第１の無線基地局のサービスエリア内に位置する前記第２の無線基地局に対して、前記第１の無線基地局の無線品質を測定するように指示する測定指示工程と、
前記第２の無線基地局が前記通信制御装置からの指示により指定された前記第１の無線基地局の前記無線品質を測定する測定工程と、
前記第２の無線基地局が測定する前記無線品質を取得する測定取得工程と、
前記無線品質に基づいて、前記第１の無線基地局の通信用パラメータの調整を行うか否かを判断する最適化判断工程と
を備えることを特徴とする通信制御方法。
【請求項９】
他の無線基地局のサービスエリア内に位置し、前記他の無線基地局より小さいサービスエリアを有する無線基地局であって、
前記他の無線基地局の通信用パラメータに変更がある場合に、前記他の無線基地局の無線品質の測定指示を受信する受信部と、
前記測定指示により指定された前記他の無線基地局の前記無線品質を測定する測定部と、
測定した前記無線品質を送信する送信部と
を備えることを特徴とする無線基地局。
【請求項１０】
前記無線基地局は、
接続する無線端末に対して、前記他の無線基地局の前記無線品質を測定するように指示する測定指示部と、
前記無線端末が測定した前記無線品質を受信する測定取得部と
を更に備え、
前記送信部は、前記無線端末が測定した前記無線品質を送信することを特徴とする請求項９記載の無線基地局。
【請求項１１】
前記無線基地局は、測定される前記他の無線基地局の前記無線品質に基づいて当該無線基地局の通信用パラメータを変更する通信用パラメータ設定部を更に備えることを特徴とする請求項１０に記載の無線基地局。
【発明の詳細な説明】
【技術分野】
【０００１】
本発明は、無線基地局の電波状況の測定及び通信用の無線パラメータの設定方法の技術分野に関する。
【背景技術】
【０００２】
この種の移動通信システムにおいては、無線ネットワークの運用が複雑になるに従い、無線基地局の通信パラメータを自律的に設定する、ＳＯＮ(Self-Organizing Network)の研究が活発となっている。このＳＯＮの目的の一つとして、無線基地局によるカバレッジ（言い換えれば、サービスエリア）の最適化が挙げられる。
【０００３】
ＳＯＮでは、例えば十分に電波が届かない不感地帯（カバレッジホール）が存在する場合に、無線基地局のアンテナのチルト角や送信電力を調整すること等によってカバレッジホールを解消することで、カバレッジの最適化を図る。かかるカバレッジの最適化では、チルト角や送信電力の調整を行うために、無線基地局或いはシステム上のＳＯＮの管理サーバ等は、カバレッジホールの有無等カバレッジの状態を把握することが求められる。
【０００４】
以下に示す先行技術文献には、無線基地局が配下の無線端末において測定された電波状況の報告を受け、該電波状況からカバレッジホールの検出を行う技術について説明されている。また、検出されたカバレッジホールを解消するためにチルト角等無線基地局の通信パラメータを調整し、調整後の無線状況から最適化の結果の判定を行う技術についても言及されている。
【先行技術文献】
【特許文献】
【０００５】
【特許文献１】特開２００８−１７２３８０号公報
【発明の概要】
【発明が解決しようとする課題】
【０００６】
先行技術文献に説明される技術では、無線端末から電波状況に係る報告を受信することで、無線基地局がカバレッジの状況を把握している。しかしながら、１台の無線端末では、カバレッジの十分な情報を得られないため、複数端末からの測定情報を受信することが求められる。しかしながら、この場合では、測定情報の報告のために無線リソースが消費されるため、ユーザデータの送受信のための帯域が減少してしまう技術的な問題がある。
【０００７】
また、無線端末から受信した測定情報に基づいて検出されたカバレッジホールについて、無線パラメータの調整により該カバレッジホールを解消したとしても、解消後に無線端末がそのカバレッジホール付近に存在しない場合、調整後の電波状況についての情報を得ることが出来ない。このため、調整による最適化が十分であるか否かを無線基地局が判定することが出来ない。
【０００８】
本発明は、上述した技術的な問題点に鑑み、カバレッジの電波状況の適切な把握と、検出されたカバレッジホールに対する適切な補償とを実現可能とする移動通信システム、通信制御装置、通信制御方法及び無線基地局を提供することを課題とする。
【課題を解決するための手段】
【０００９】
上記課題を解決するために、開示の移動通信システムは、第１の無線基地局と、該第１の無線基地局のサービスエリア内に位置し、第１の無線基地局より小さいサービスエリアを有する第２の無線基地局と、第１及び第２の無線基地局を制御する通信制御装置とを備える。
【００１０】
通信制御装置は、第１の無線基地局に対して、通信用パラメータの調整を制御する無線基地局制御部と、第１の無線基地局の通信用パラメータに変更がある場合に、通信用パラメータに変更があった第１の無線基地局のサービスエリア内に位置する第２の無線基地局に対して、第１の無線基地局の無線品質を測定するように指示する測定指示部と、第２の無線基地局が測定する無線品質を取得する測定取得部と、無線品質に基づいて、第１の無線基地局の通信用パラメータの調整を行うか否かを判断する最適化判断部とを備える。
【００１１】
第２の無線基地局は、通信制御装置から送信される無線品質の測定指示を受信する受信部と、通信制御装置からの指示により指定された第１の無線基地局の無線品質を測定する測定部と、測定した無線品質を通信制御装置に送信する送信部とを備える。
【００１２】
また、開示の通信制御方法は、上述した移動通信システムにおける通信制御方法であって、無線基地局制御工程と、測定指示工程と、測定工程と、測定取得工程と、最適化判断工程とを備える。無線基地局制御工程、測定指示工程、測定取得工程及び最適化判断工程は、夫々上述した通信制御装置が備える無線基地局制御部、測定指示部、測定取得部及び最適化判断部と同様の動作を行う。測定工程は、上述した第２の無線基地局が備える測定部と同様の動作を行う。
【００１３】
また、開示の通信制御装置は、上述した通信制御装置と同様の構成を備える。また、開示の無線基地局は、上述した第２の無線基地局と同様の構成を備える。
【発明の効果】
【００１４】
上述の構成によれば、第１の無線基地局のカバレッジの電波状況の情報収集の際に、無線端末による測定及び報告による無線リソースの消費を低減或いはなくすことが出来る。また、一定の箇所に配置される第２の無線基地局等による第１の無線基地局のカバレッジの電波状況の定点観測が可能となり、測定精度の向上を図ることが出来る。
【図面の簡単な説明】
【００１５】
【図１】移動通信システムの全体的な構成を示す図である。
【図２】ｆＢＳのハードウェア構成を示すブロック図である。
【図３】ｆＢＳが備える機能部を示すブロック図である。
【図４】ＵＥのハードウェア構成を示すブロック図である。
【図５】ＵＥが備える機能部を示すブロック図である。
【図６】ＳＯＮサーバのハードウェア構成を示すブロック図である。
【図７】第１の実施例におけるＳＯＮサーバが備える機能部を示すブロック図である。
【図８】ｆＢＳ位置データベースの構成を示す図である。
【図９】無線品質データベースの構成を示す図である。
【図１０】第１の実施例における移動通信システムの各部の動作の流れを示すシーケンス図である。
【図１１】第１の実施例におけるＳＯＮサーバの動作の流れを示すフローチャートである。
【図１２】第１の実施例におけるｆＢＳの動作の流れを示すフローチャートある。
【図１３】第２の実施例におけるＳＯＮサーバが備える機能部を示すブロック図である。
【図１４】第２の実施例におけるＳＯＮサーバの動作の流れを示すフローチャートある。
【図１５】ＵＥ位置データベースの構成を示す図である。
【図１６】第３の実施例におけるＳＯＮサーバが備える機能部を示すブロック図である。
【図１７】障害情報データベースの構成を示す図である。
【図１８】第３の実施例におけるＳＯＮサーバの動作の流れを示すフローチャートある。
【発明を実施するための形態】
【００１６】
以下に、発明を実施するための実施形態について説明する。
【００１７】
（１）基本構成例
図１を参照して、開示の移動通信システムの一例である移動通信システム１の構成について説明する。図１は、移動通信システム１の全体の構成を示すブロック図である。移動通信システム１は、例えば、ＬＴＥ（Long Term Evolution）方式を採用する無線通信システム等である。
【００１８】
図１に示されるように、移動通信システム１は、ＳＯＮサーバ４００と、第１の無線基地局の一例であるｍＢＳ（macro Base Station）１００ａ及び１００ｂと、該ｍＢＳ１００ａのサービスエリア（つまり、カバレッジ）に重複して配置される、第２の無線基地局の一例であるｆＢＳ（femto Base Station）２００とを備える。
【００１９】
ｍＢＳ１００ａ及び１００ｂは、例えば、半径数百ｍから数ｋｍ程度の比較的広いサービスエリアをカバーする、所謂マクロセル無線基地局と呼ばれる無線基地局である。ｍＢＳ１００ａ及び１００ｂは、後述するようにアンテナを介して送信電波を送信することでセル（例えば、マクロセル）を形成し、該セル内に在圏するＵＥ３００と通信を行う。
【００２０】
ｆＢＳ１００は、例えば、個人宅や店舗、ビルのフロアなど比較的狭いサービスエリアをカバーする、所謂フェムトセル無線基地局と呼ばれる無線基地局である。ｆＢＳ２００は、後述するようにアンテナを介して送信電波を送信することでセル（例えば、フェムトセル）を形成し、該セル内に在圏するＵＥ３００と通信を行う。
【００２１】
ＳＯＮサーバ４００は、開示の通信制御装置の一例であって、移動通信システム１内の各基地局ｍＢＳ１００ａ及び１００ｂ並びにｆＢＳ２００の夫々と通信可能な態様で接続され、動作を制御するための制御信号の通信を行う。
【００２２】
尚、図１を参照して説明した例では、２つのｍＢＳ１００ａ及び１００ｂと、１つのｆＢＳ２００を含む移動通信システム１について説明されているが、開示の移動通信システムはこの例に限定されることなく、１以上の任意の数のｍＢＳと、１以上の任意の数のｆＢＳとを備える構成であってよい。また、以降の説明において、ｍＢＳ１００ａ及び１００ｂについて、区別することなく説明する場合には、ｍＢＳ１００という表記を用いて説明する。
【００２３】
また、図１を参照して説明した例では、第１基地局の例としてマクロセルを形成する基地局であるｍＢＳ１００、第２基地局の例としてフェムトセルを形成する基地局であるｆＢＳ２００について夫々説明している。しかしながら、第１、第２基地局の実施の形態として、その他の基地局を用いてもよい。例えば、第２基地局の例として、マクロセルより送信電力が低いマイクロセルを用いてもよい。
【００２４】
図２及び図３を参照して、ｆＢＳ２００の基本的な構成及び機能について説明する。
【００２５】
図２は、ｆＢＳ２００のハードウェア構成の一例を示すブロック図である。ｆＢＳ２００は、アンテナ２０１と、アンプ２０２と、ＤＳＰ（Digital signal Processor）２０３と、ＬＳＩ２０４と、ＣＰＵ２０５と、メモリ２０６とを備える。アンテナ２０１は、送信電波を送信し、セルを形成することで、セル内に在圏するＵＥ３００と通信を行うためのアンテナである。アンプ２０２は、アンテナ２０１において送受信される信号の増幅を行う構成である。ＤＳＰ２０３は、ネットワークを介して受信される情報をアンテナ２０１から出力するための態様に変換する処理や、アンテナ２０１において受信される情報をネットワークに送信するための態様に変換する処理を行う。ＬＳＩ２０４は、ＳＯＮサーバ４００と接続し、情報の通信を行う構成である。尚、ＬＳＩ２０４の少なくとも一部は、ＦＰＧＡ（Field Programmable Gate Array）を含んでいてもよい。ＣＰＵ２０５は、ｆＢＳ２００の各部の動作を制御すると共に、例えばメモリ２０６内に格納されるプログラムを実行することで、後述する各種動作を行う。
【００２６】
図３は、ｆＢＳ２００の内の機能部構成をブロック図として示したものである。図３に示されるようにｆＢＳ２００は、ネットワークに接続するネットワークインターフェース部２１１、ネットワークから入力されるデータをアンテナ１０１から無線信号として送信するための送信部２１２、アンテナ１０１から受信した無線信号を受信するための受信部２１３、送信部２１２と受信部２１３の制御や接続するＵＥ３００の管理を行うための制御部２１４を備える。
【００２７】
ネットワークインターフェース部２１１は、ネットワークからＩＰ（Internet Protocol）パケット等のデータを受信すると、ＩＰパケットのヘッダ情報から、ｆＢＳ２００配下のＵＥ３００宛てのデータか、ｆＢＳ２００宛てのデータかを判別する。ネットワークインターフェース部２１１は、ＵＥ３００宛てのデータは送信部２１２、ｆＢＳ２００宛てのデータは制御部２１４に夫々転送する。
【００２８】
送信部２１２は、ネットワークインターフェース部２１１から受信したデータを符号化及び変調し、アンテナ１０１を介して、送信する。
【００２９】
制御部２１４は、ネットワークインターフェース部２１１から受信したデータの処理を行う。例えば、受信したデータがＳＯＮサーバ４００から送信されたｍＢＳ１００の電波状況の測定指示であれば、受信部２１３に対して、ｍＢＳ１００の送信電波の測定を指示し、その結果をネットワークインターフェース部２１１に返答し、ＳＯＮサーバ４００に返送させる。
【００３０】
受信部２１３は、アンテナ１０１からの受信信号を復調及び復号化してネットワークインターフェース部２１１にデータを送信する。また、制御部からｍＢＳ１００の測定指示があった場合、測定部２１５に対して、ｍＢＳ１００からの送信電波の受信電力やＳＩＮＲ等の受信信号の電波状況に係る情報を測定して、結果を制御部２１４に送信する。
【００３１】
また、制御部２１５は、測定したｍＢＳ１００の受信信号の電波状況に係る情報に基づいて、干渉を回避するために、ｆＢＳ２００の送信電力等を制御してもよい。
【００３２】
ｍＢＳ１００は、公知のマクロセル無線基地局と同様の構成であってよく、又、ｆＢＳ２００と同様の構成であってもよい。
【００３３】
ＵＥ３００は、開示の移動端末の一例であって、ｍＢＳ１００又はｆＢＳ２００が形成するセルに在圏することで、ｍＢＳ１００又はｆＢＳ２００を介してコアネットワークと通信を行う。図４及び図５を参照して、ＵＥ３００の基本的な構成及び機能について説明する。
【００３４】
図４は、ＵＥ３００のハードウェア構成の一例を示すブロック図である。ＵＥ３００は、アンテナ３０１と、アンプ３０２と、ＤＳＰ３０３と、ＣＰＵ３０４と、メモリ３０５とを備える。アンテナ３０１は、ｍＢＳ１００又はｆＢＳ２００からの送信電波を受信し、ｍＢＳ１００又はｆＢＳ２００と通信を行うためのアンテナである。アンプ３０２は、アンテナ３０１において送受信される信号の増幅を行う構成である。ＤＳＰ３０３は、アンテナ３０１において送受信される信号と、ＵＥ３００において用いられる情報とを変換する処理を行う。ＣＰＵ３０４は、ＵＥ３００の各部の動作を制御すると共に、例えばメモリ３０５内に格納されるプログラムを実行することで、図５に示す各機能部が行うものと同様の動作を行う。
【００３５】
図５は、ＵＥ３００のＣＰＵ３０４内の機能部構成をブロック図として示したものである。図５に示されるようにＵＥ３００のＣＰＵ３０４は、受信部３１１、送信部３１２、情報収集部３１３、受信電力測定部３１４及び位置情報測定部３１５の各機能部を備える。
【００３６】
受信部３１１は、ｍＢＳ１００又はｆＢＳ２００から受信した信号を情報収集部３１３に転送するインタフェースである。送信部３１２は、ｍＢＳ１００又はｆＢＳ２００に対して情報を送信するためのインタフェースである。
【００３７】
情報収集部３１３は、受信部３１１より受信した信号を解析し、該信号に含まれるメッセージにより要求される動作の実施や、該信号に含まれる情報の取得を行う。
【００３８】
受信電力測定部３１４は、接続中のｍＢＳ１００又はｆＢＳ２００、或いは接続していない周辺のｍＢＳ１００又はｆＢＳ２００からの受信電力を定期的に測定する。受信電力測定部３１４は、接続中のｍＢＳ１００又はｆＢＳ２００から受信電力の測定結果要求を受けた場合等に、測定結果を送信する。
【００３９】
位置情報測定部３１５は、ＧＰＳを用いて当該ＵＥ３００の位置情報を取得する。このとき、位置情報測定部３１５は、ＵＥ３００の位置情報と共に、該位置情報の精度を示すＧＰＳ測定誤差も測定する。位置情報測定部３１５は、接続中のｍＢＳ１００又はｆＢＳ２００から端末位置情報要求を受けた場合等に、位置情報とＧＰＳ測定誤差情報とを送信する。
【００４０】
図６を参照して、ＳＯＮサーバ４００の基本的な構成及び機能について説明する。図６は、ＳＯＮサーバ４００のハードウェア構成の一例を示すブロック図である。ＳＯＮサーバ４００は、ＬＳＩ（Large Scale Integration）４０１と、ＣＰＵ４０２と、メモリ４０３とを備える。ＬＳＩ４０１は、ｍＢＳ１００及びｆＢＳ２００と接続し、情報の通信を行う構成である。ＣＰＵ４０２は、ＳＯＮサーバ４００の各部の動作を制御すると共に、例えばメモリ４０３内に格納されるプログラムを実行することで、例えば後述する各実施例に示される動作を実施する。
【００４１】
尚、上述の説明では、開示の通信制御装置について、ＳＯＮサーバ４００を例示して説明しているが、上述した構成及び下記の実施例に示す機能を実現可能であれば、その他の装置であってもよい。例えば、開示の通信制御装置は、ｍＢＳ１００内部に設けられる制御回路等であってもよく、ネットワーク上の上位ノード又はその内部に設けられる制御装置等であってもよい。
【００４２】
（２）第１の実施例
移動通信システム１の第１の実施例について、図面を参照して説明する。先ず、図７を参照して、ＳＯＮサーバ４００が備える、第１の実施例に係る機能について説明する。図７は、ＳＯＮサーバ４００が備える、第１の実施例に係る機能について、便宜上の機能部としてブロック図に図示したものである。下記に示す各機能部は、例えばＣＰＵ４０２の動作によって実施されるものであってよく、また専用の処理回路を備えていてもよい。また、データベースは、例えばメモリ４０３内に格納されるものである。
【００４３】
図７に示されるようにＳＯＮサーバ４００は、ｍＢＳ制御部４１１、対象ｆＢＳ選択部４１２、測定指示部４１３、ｆＢＳ位置データベース４１４、測定取得部４１５、無線品質データベース４１６及び最適化判断部４１７を備える。
【００４４】
ｍＢＳ制御部４１１は、カバレッジホール等の問題事象の検出をトリガとして、ｍＢＳ１００の送信電力やアンテナチルト角等の無線パラメータの調整を指示するメッセージを対象となるｍＢＳ１００に送信する。
【００４５】
また、ｍＢＳ制御部４１１は、ｍＢＳ１００からの報告等により、無線パラメータに変更があったことを確認すると、該無線パラメータに変更があったｍＢＳ１００を対象ｆＢＳ選択部４１２に通知する。
【００４６】
対象ｆＢＳ選択部４１２は、ｍＢＳ制御部４１４から、無線パラメータの変更があったｍＢＳ１００についての情報の通知を受け、該ｍＢＳ１００及びその隣接ｍＢＳ１００のカバレッジ内にオーバレイして存在するｆＢＳ２００を選択する。例えば、対象ｆＢＳ選択部４１２は、ｆＢＳ位置データベース４１４を参照することにより、無線パラメータの変更があったｍＢＳ１００及びその隣接ｍＢＳ１００のカバレッジ内にオーバレイして存在するｆＢＳ２００を選択する。このとき、対象ｆＢＳ選択部４１２は、以前のｆＢＳ２００による測定結果に基づいて、該ｆＢＳ２００がｍＢＳ１００のカバレッジのエッジ付近に存在するか否かを把握することも出来る。又、把握されたエッジ付近に存在するｆＢＳ２００のみを測定指示対象と決定として選択してもよい。
【００４７】
ｆＢＳ位置データベース４１４の構成例について、図８を参照して説明する。図８は、ｆＢＳ位置データベース４１４に格納されるデータの一例を示す図である。図８に示すように、ｆＢＳ位置データベース４１４は、ＳＯＮサーバ４００の制御下にあるｆＢＳ２００の夫々について、識別用のＩＤ、位置情報及びカバレッジがオーバーレイするｍＢＳ１００の情報を格納する。
【００４８】
位置情報は、例えば緯度と経度との組み合わせであり、個々のｆＢＳ２００の設置時に、オペレータが登録すること、又はｆＢＳ２００が備えるＧＰＳ機能により取得される位置情報を登録すること等によって格納される。また、位置情報は、ｆＢＳ２００が受診する周辺のｍＢＳ１００からの送信電波の電波状況等に基づいて判断されてもよい。オーバーレイするｍＢＳ１００は、上述した位置情報から決定されてもよい。又、対象のｆＢＳ２００が周辺のｍＢＳ１００の電波状況を測定したときに、受信電力が最大となるｍＢＳ１００を登録してもよい。この方法に依っても、対象のｆＢＳ２００がどのｍＢＳ１００のカバレッジ内にオーバレイして存在するかが把握可能となる。
【００４９】
対象ｆＢＳ選択部４１２は、選択したｆＢＳ２００を測定指示部４１３に通知する。測定指示部４１３は、対象ｆＢＳ選択部４１２により選択されたｆＢＳ２００に対して、オーバレイするｍＢＳ１００の電波状況を測定するよう、指示を行う。
【００５０】
測定取得部４１５は、ｆＢＳ２００からの測定情報を受信し、その情報を基に無線品質データベース４１６の更新を行う。また、もし変更があった場合、ｆＢＳ位置データベース４１４に格納される該当ｆＢＳ２００についてのオーバーレイするｍＢＳ１００情報の更新を行ってもよい。
【００５１】
無線品質データベース４１６の構成例について、図９を参照して説明する。図９は、無線品質データベース４１６に格納されるデータの一例を示す図である。
【００５２】
図９（ａ）に示すように、無線品質データベース４１６は、ＳＯＮサーバ４００の制御下にあるｍＢＳ１００の夫々について、ｆＢＳ２００等によって測定された無線品質及び測定を行った位置情報の情報を格納する。
【００５３】
尚、図９（ａ）の例では、測定位置毎に受信電力が最大となるｍＢＳ１００についての無線品質を格納しているが、一の測定位置において測定した複数のｍＢＳ１００の受信電力とを含むようにしてもよい。
【００５４】
また、図９（ｂ）に示されるように、無線品質データベース４１６は、個々のｍＢＳ１００の無線品質について、ｍＢＳ制御部４１１の指示による通信パラメータの調整前後の夫々の無線品質を格納してもよい。このように構成する場合、ｆＢＳ２００の運用上、位置の変更が生じないため、同一の測定位置でのｍＢＳ１００の通信パラメータ調整の前後における無線品質を比較することで、通信パラメータ調整の効果を把握することが可能となる。なお、ｆＢＳ２００の位置は変更されないことから、図９（ｂ）において、位置情報の代わりにｆＢＳの識別用のＩＤを使用しても良い。
【００５５】
最適化判断部４１７は、ｆＢＳ２００からの測定情報を基に更新された無線品質データベース４１６を基に、問題事象が解消されたか否かを判断し、解消されていない場合、再度、ｍＢＳ１００の無線パラメータを調整するように、ｍＢＳ制御部４１１に指示を出す。
【００５６】
図１０を参照して、第１の実施例に係る移動通信システム１の各部の動作について説明する。図１０は、第１の実施例に係る移動通信システム１の各部の動作の流れを示すシーケンス図である。
【００５７】
図１０に示されるように、ＳＯＮサーバ４００は、ｍＢＳ１００についての送信電力やアンテナのチルト角等の通信パラメータの最適化の実施を判断すると、ｍＢＳ１００ａ及び１００ｂに対して、調整の実施の指示と、調整値の通知を行う。ｍＢＳ１００ａ、１００ｂは、通信パラメータの調整を行った後、Ａｃｋｎｏｗｌｅｄｇｅメッセージによる応答を行う。
【００５８】
その後、ＳＯＮサーバ４００は、調整後のｍＢＳ１００ａ又は１００ｂの電波状況を測定するように、各ｍＢＳ１００ａ、１００ｂにオーバレイするｆＢＳ２００に指示する。ｆＢＳ２００は、電波状況の測定を行い、測定結果をＳＯＮサーバ４００に報告する。
【００５９】
ＳＯＮサーバ４００は、報告された測定結果から、ｍＢＳ１００ａ、１００ｂに対して行った通信パラメータの調整の効果の検証を行う。検証の結果、通信パラメータの更なる調整や微調整が必要か否かを判断し、必要ならば、再度パラメータの調整を指示する。
【００６０】
尚、再調整の後に、ＳＯＮサーバ４００は、再度ｆＢＳ２００に対して、再調整を行ったｍＢＳ１００の電波状況の測定を指示してもよい。このとき、ＳＯＮサーバ４００は、報告された測定結果から、通信パラメータの更なる調整や微調整が必要か否かを判断し、必要ならば、再度パラメータの調整を指示してもよい。
【００６１】
図１０を参照して説明した第１の実施例におけるＳＯＮサーバ４００の動作の流れについて、図１１のフローチャートを参照してより詳細に説明する。
【００６２】
ＳＯＮサーバ４００は、無線品質データベース４１６を参照して、制御下にあるｍＢＳ１００のいずれかのカバレッジにカバレッジホールが形成されたか否かを定期的に確認する（ステップＳ１０１）。
【００６３】
カバレッジホールが検出される場合（ステップＳ１０２：Ｙｅｓ）、ＳＯＮサーバ４００のｍＢＳ制御部４１１は、検出されたカバレッジホールを補償するように制御下にあるｍＢＳ１００に対して無線パラメータの調整を指示する（ステップＳ１０３）。
【００６４】
尚、このときｍＢＳ制御部４１１は、カバレッジホールの検出の他にも、ｍＢＳ１００に対して送信電力やアンテナのチルト角等の無線パラメータの調整が必要と判断された場合、無線パラメータの調整を指示してもよい。例えば、無線通信システム１の管理を行うオペレータの操作に指示される場合に無線パラメータの調整を指示しても良い。また、最適化判断部４１７が無線品質データベース４１６に格納されるｍＢＳ２００の無線品質について、所定の品質を下回っていると判断する場合に無線パラメータの調整を指示しても良い。更に、ｍＢＳ１００の通信パラメータ調整の前後において、同一の測定位置において測定される無線品質又は同一のｆＢＳ１００により測定される無線品質を比較して、悪化したり所望の改善が得られなかったと判断する場合等を無線パラメータの調整の指示を行うトリガとしてもよい。
【００６５】
ｍＢＳ制御部４１１は、ｍＢＳ１００から調整完了の報告を受信した後、該無線パラメータに変更があったｍＢＳ１００を対象ｆＢＳ選択部４１２に通知する。
【００６６】
対象ｆＢＳ選択部４１２は、ｆＢＳ位置データベース４１４を参照することにより、無線パラメータに変更があったｍＢＳ１００及びその隣接ｍＢＳ１００のカバレッジ内にオーバレイして存在するｆＢＳ２００を選択する（ステップＳ１０４）。
【００６７】
対象ｆＢＳ選択部４１２は、選択したｆＢＳ２００を測定指示部４１３に通知する。測定指示部４１３は、対象ｆＢＳ選択部４１２により選択されたｆＢＳ２００に対して、オーバレイするｍＢＳ１００の電波状況を測定するよう、指示を行う（ステップＳ１０５）。
【００６８】
ｆＢＳ２００からの測定結果を受信したＳＯＮサーバ４００の測定取得部４１５は、測定結果に基づいて無線品質データベース４１６の更新を行う（ステップＳ１０７）。
【００６９】
最適化判断部４１７は、更新された無線品質データベース４１６を参照して、カバレッジホールの補償等、問題が解消されたか否かを判断する（ステップＳ１０８）。調整指示後に更にカバレッジホール等が検出される場合（ステップＳ１０２：Ｙｅｓ）、最適化判断部４１７は、ｍＢＳ制御部４１１に対して、ｍＢＳ１００の無線パラメータ調整の指示を再度行うよう指示してもよい（ステップＳ１０３）。
【００７０】
第１の実施例における動作の流れでは、ＳＯＮサーバ４００より指示を受けたｆＢＳ２００がｍＢＳ１００の電波状況を測定する間、該ｆＢＳ２００は、接続するＵＥ３００との通信が行えない場合がある。このため、ｆＢＳ２００は、自身の測定部２１５による測定の代わりに、接続中のＵＥ３００に対してｍＢＳ１００の電波状況の測定を代行させてもよい。このときのｆＢＳ２００の動作の流れについて、図１２のフローチャートを参照して説明する。
【００７１】
ｆＢＳ２００は、ＳＯＮサーバ４００からｍＢＳ１００の電波状況の測定指示を受けた際（ステップＳ２０１）、通信中のＵＥ３００が存在する場合には（ステップＳ２０２：Ｙｅｓ）、該ＵＥ３００に対して、ｍＢＳ１００の電波状況の測定指示を行う（ステップＳ２０３）。
【００７２】
他方で、通信中のＵＥ３００が存在しない場合には（ステップＳ２０２：Ｎｏ）、測定部２１５によるｍＢＳ１００の電波状況の測定を行う（ステップＳ２０６）。
【００７３】
ＵＥ３００より測定結果を受信した後（ステップＳ２０４）、或いは測定部２１５による測定の後（ステップＳ２０６）、ｆＢＳ２００は、ＳＯＮサーバ４００に対して測定結果を送信する（ステップＳ２０５）。
【００７４】
尚、ＵＥ３００に対する測定指示は、例えば選択されたｍＢＳ１００にオーバレイするｆＢＳ２００数が少ない場合等、十分な測定結果が得られないと判断される場合に実施されてもよい。
【００７５】
以上、説明した移動通信システム１の第１の実施例によれば、ｍＢＳ１００のカバレッジにおけるカバレッジホール等の異常を検出するために、例えばｍＢＳ１００のカバレッジ内の個人宅等に定点的に設置されるｆＢＳ２００による電波状況の測定を行う。ｆＢＳ２００は、個人宅に設置され、導入されたブロードバンド回線（ＡＤＳＬ(Asymmetric Digital Subscriber Line)や光ファイバ）を利用して、無線ネットワークに接続する。
【００７６】
このようにｆＢＳ２００を利用して、ｍＢＳ１００の電波状況の測定を定点的に行うことで、ｍＢＳ１００の無線パラメータ変更による電波状況への影響を高精度に観察することが出来る。このことにより、ＵＥ３００による無線品質の測定及び測定結果の報告の機会を抑制することが出来、ＵＥ３００での測定及び測定結果の報告に係る無線リソースの消費を低減することも出来る。
【００７７】
一般的にＳＯＮにおいて用いられるｆＢＳ２００は、自身の送信電力等の無線パラメータの自動設定を行うために、アンテナを介して受信した周辺の無線基地局（つまり、ｍＢＳ１００等）の電波状況を測定する機能を有している。このため、係る機能を用いることで、更なる構成の追加を行うことなく上述した第１の実施例に係る動作を行うことが可能となる。
【００７８】
尚、対象ｆＢＳ選択部４１２は、測定を指示するｆＢＳ２００を際に、位置情報に基づいて、無線パラメータに変更があったｍＢＳ１００のセル境界周辺に設置されるｆＢＳ２００を選択してもよい。このように選択することで、無線パラメータの変更による影響が出易いセル境界における電波状況の変化を高精度に検証することが可能となる。
【００７９】
また、ｆＢＳ２００は、無線パラメータに変更があったｍＢＳ１００の電波状況を測定する際に、測定された電波状況に応じて自身の無線パラメータを調整してもよい。このような構成によれば、新しいｍＢＳ１００の無線パラメータに対して迅速にｆＢＳ２００の無線パラメータを追従させることが出来、相互の電波干渉等を抑制することが出来る。
【００８０】
（３）第２の実施例
移動通信システム１の第２の実施例について、図面を参照して説明する。第２の実施例では、第１の実施例のＳＯＮサーバ４００の代替となるＳＯＮサーバ４００’が、無線パラメータの変更があったｍＢＳ１００のカバレッジ内にオーバレイするｆＢＳ２００、及び該ｍＢＳ１００と接続しているＵＥ３００に対して測定の指示を行う。
【００８１】
図１３を参照して、第２実施例のＳＯＮサーバ４００’が備える機能について説明する。図１３は、ＳＯＮサーバ４００’が備える、第２の実施例に係る機能について、便宜上の機能部としてブロック図に図示したものである。尚、各機能部について、図７に示される第１の実施例に係るＳＯＮサーバ４００が備えるものと同様の機能部については、同一の番号を付して説明を省略している。
【００８２】
図１３に示されるようにＳＯＮサーバ４００’は、ｍＢＳ制御部４１１、対象ｆＢＳ選択部４１２、測定指示部４１３、ｆＢＳ位置データベース４１４、測定取得部４１５、無線品質データベース４１６、最適化判断部４１７、対象ＵＥ選択部４１８及びＵＥ位置データベース４１９を備える。
【００８３】
対象ＵＥ選択部４１８は、ＵＥ位置データベース４１９を参照することにより、無線パラメータに変更があったｍＢＳ１００及びその周辺のｍＢＳ１００のカバレッジ内に存在するＵＥ３００を選択する。対象ＵＥ選択部４１８は、例えばＵＥ位置データベース４１９に格納されるＵＥ３００の位置情報を参照することで、ＵＥ３００の選択を行う。
【００８４】
ＵＥ位置データベース４１９について、図１４を参照して説明する。図１４は、ＵＥ位置データベース４１９に格納されるデータの一例を示す図である。図１４に示すように、ＵＥ位置データベース４１９は、ＵＥ３００毎に、識別用のＩＤと、位置情報と、接続しているｍＢＳ１００の情報とを格納する。位置情報は、例えば、個々のＵＥ３００に対して、ＧＰＳを利用して取得された位置情報の送信を要求し、送信された位置情報を登録する。
【００８５】
このように選択することで、好適に無線パラメータに変更があったｍＢＳ１００及びその周辺のｍＢＳ１００と接続するＵＥ３００を選択することが出来る。そして、対象ＵＥ選択部４１８は、選択されたＵＥ３００の情報を測定指示部４１３に通知する。
【００８６】
第２の実施例に係るＳＯＮサーバ４００’の動作の流れについて、図１５のフローチャートを参照してより詳細に説明する。
【００８７】
ＳＯＮサーバ４００’は、無線品質データベース４１６を参照して、制御下にあるｍＢＳ１００のいずれかのカバレッジにカバレッジホールが形成されたか否かを定期的に確認する（ステップＳ３０１）。
【００８８】
カバレッジホールが検出される場合（ステップＳ３０２：Ｙｅｓ）、ＳＯＮサーバ４００’のｍＢＳ制御部４１１は、検出されたカバレッジホールを補償するように制御下にあるｍＢＳ１００に対して無線パラメータの調整を指示する（ステップＳ３０３）。
【００８９】
尚、このときｍＢＳ制御部４１１は、カバレッジホールの検出の他にも、ｍＢＳ１００に対して送信電力やアンテナのチルト角等の無線パラメータの調整が必要と判断された場合、無線パラメータの調整を指示してもよい。例えば、無線通信システム１の管理を行うオペレータの操作に指示される場合に無線パラメータの調整を指示しても良い。また、最適化判断部４１７が無線品質データベース４１６に格納されるｍＢＳ２００の無線品質について、所定の品質を下回っていると判断する場合に無線パラメータの調整を指示しても良い。更に、ｍＢＳ１００の通信パラメータ調整の前後において、同一の測定位置において測定される無線品質又は同一のｆＢＳ１００により測定される無線品質を比較して、悪化したり所望の改善が得られなかったと判断する場合等を無線パラメータの調整の指示を行うトリガとしてもよい。
【００９０】
ｍＢＳ制御部４１１は、ｍＢＳ１００から調整完了の報告を受信した後、該無線パラメータの変更があったｍＢＳ１００を対象ｆＢＳ選択部４１２及び対象ＵＥ選択部４１８に通知する。
【００９１】
対象ｆＢＳ選択部４１２は、ｆＢＳ位置データベース４１４を参照することにより、無線パラメータに変更があったｍＢＳ１００及びその隣接ｍＢＳ１００のカバレッジ内にオーバレイして存在するｆＢＳ２００を選択する（ステップＳ３０４）。
【００９２】
対象ＵＥ選択部４１８は、ＵＥ位置データベース４１９を参照することにより、無線パラメータに変更があったｍＢＳ１００及びその周辺のｍＢＳ１００のカバレッジ内に存在するＵＥ３００を選択する（ステップＳ３０５）。
【００９３】
対象ｆＢＳ選択部４１２は、選択したｆＢＳ２００を測定指示部４１３に通知する。対象ＵＥ選択部４１８は、選択したＵＥ３００を測定指示部４１３に通知する。測定指示部４１３は、対象ｆＢＳ選択部４１２により選択されたｆＢＳ２００、及び対象ＵＥ選択部４１８により選択されたＵＥ３００に対して、無線パラメータに変更があったｍＢＳ１００の電波状況を測定する指示メッセージを送信する（ステップＳ３０６）。
【００９４】
ｆＢＳ２００及びＵＥ３００からの測定結果を受信したＳＯＮサーバ４００’の測定取得部４１５は、測定結果に基づいて無線品質データベース４１６の更新を行う（ステップＳ３０８）。
【００９５】
最適化判断部４１７は、更新された無線品質データベース４１６を参照して、カバレッジホールの補償等、問題が解消されたか否かを判断する（ステップＳ３０８）。調整指示後に更にカバレッジホール等が検出される場合（ステップＳ３０２：Ｙｅｓ）、最適化判断部４１７は、ｍＢＳ制御部４１１に対して、ｍＢＳ１００の無線パラメータ調整の指示を再度行うよう指示してもよい（ステップＳ３０３）。
【００９６】
以上、説明した第２実施例によれば、ｆＢＳ２００の設置数や配置等により、ｍＢＳ１００の電波状況の好適な測定が行えない場合であっても、ＵＥ３００を用いて電波状況の測定及び収集を行うことが出来る。このため、ｆＢＳ２００が広く普及していない状態であっても、第１の実施例に係る効果と同様の効果を享受することが出来る。
【００９７】
尚、第２の実施例において、対象ＵＥ選択部４１８は、対象ｆＢＳ選択部４１２が選択したｆＢＳ２００についての通知を受け、選択されたｆＢＳ２００の近傍に位置しないＵＥ３００を測定指示を送るＵＥとして選択してもよい。尚、対象ＵＥ選択部４１８は、ＵＥ３００がｆＢＳ２００の近傍であるか否かは、選択されたｆＢＳ２００について、ｆＢＳ位置データベース４１４に格納される位置情報と、ＵＥ位置データベース４１９に格納されるＵＥ３００の位置情報とを比較することで判断してもよい。また、ＵＥ３００が選択されたｆＢＳ２００からの送信電波を受信しているか否かに基づいて判断してもよい。
【００９８】
このように選択することで、ｆＢＳ２００が配置されていない位置においてＵＥ３００を用いた電波状況の測定が可能となり、ｍＢＳ１００のカバレッジの電波状況について得られる情報の精度が向上する。
【００９９】
（４）第３の実施例
移動通信システム１の第３の実施例について、図面を参照して説明する。第３の実施例では、第１の実施例のＳＯＮサーバ４００の代替となるＳＯＮサーバ４００’’が、設けられる。
【０１００】
図１６を参照して、第３実施例のＳＯＮサーバ４００’’が備える機能について説明する。図１６は、ＳＯＮサーバ４００’’が備える、第２の実施例に係る機能について、便宜上の機能部としてブロック図に図示したものである。尚、各機能部について、図７に示される第１の実施例に係るＳＯＮサーバ４００が備えるものと同様の機能部については、同一の番号を付して説明を省略している。
【０１０１】
図１６に示されるようにＳＯＮサーバ４００’’は、ｍＢＳ制御部４１１、対象ｆＢＳ選択部４１２、測定指示部４１３、ｆＢＳ位置データベース４１４、測定取得部４１５、無線品質データベース４１６、最適化判断部４１７、障害情報取得部４２０及び障害情報データベース４２１を備える。
【０１０２】
障害情報取得部４２０は、ｍＢＳ１００の送信電波についての障害情報をｍＢＳ１００経由で取得し、障害情報データベース４２１に登録する。第３の実施例では、ＵＥ３００は、接続するｍＢＳ１００の送信電波の品質等が著しく劣化した場合や、無線リンクが切断された場合に、ｍＢＳ１００に何らかの障害が発生したと判断する。このとき、ＵＥ３００は、障害の発生が検出された位置情報と、障害の内容をｍＢＳ１００を介してＳＯＮサーバ４００’’に送信する。障害情報取得部４２０は、ＵＥ３００から送信される障害情報を受信することで障害情報の収集を行う。
【０１０３】
障害情報取得部４２０は、障害発生が存在することを検出すると、ｍＢＳ制御部４１１に対して障害を補償するよう無線パラメータ調整の指示を行う。
【０１０４】
障害情報データベース４２１について、図１７を参照して説明する。図１７は、障害情報データベース４２１に格納されるデータの一例を示す図である。図１７に示すように、障害情報データベース４２１は、測定された位置の位置情報と共に、ｍＢＳ１００からの送信電波の障害情報を格納する。位置情報は、例えば、障害の発生が検出された際に、電波状況の測定を行っていた位置情報を登録する。尚、障害情報データベース４２１は、障害が観測された位置情報に加えて、位置情報に示される位置が、どのｍＢＳ１００のカバレッジに含まれるかを格納してもよい。障害情報は、測定された電波状況について、例えばリンク断や信号品質の劣化等の状態が格納される。
【０１０５】
第３の実施例に係るＳＯＮサーバ４００’’の動作の流れについて、図１８のフローチャートを参照してより詳細に説明する。
【０１０６】
ＳＯＮサーバ４００’’は、ｍＢＳ１００を介して障害情報を受信した場合（ステップＳ４０１）、障害情報データベース４２１に登録する。障害情報データベース４２１に格納される障害情報が所定の閾値を越える場合、ｍＢＳ制御部４１１は、障害情報に示される位置において何らかの障害が生じていると判断する。障害情報が所定の閾値を越える状態とは、例えばあるｍＢＳ１００のカバレッジ内で所定の閾値を越える複数回のリンク断又は信号品質劣化の障害情報が格納される場合等、障害情報に基づいて好適に障害が生じていると判断可能な状態が設定されることが好ましい。
【０１０７】
ｍＢＳ制御部４１１は、何らかの障害が生じていると判断した場合、障害発生位置をカバレッジに含むｍＢＳ１００又は近傍のｍＢＳ１００に対して、該障害を補償するよう、無線パラメータの調整を指示する（ステップＳ４０３）。その後、障害情報取得部４２０は、障害情報データベース４２１に格納される、無線パラメータの調整指示に関連する障害情報を初期化する。
【０１０８】
以上、説明したように第３の実施例では、ＵＥ３００において検出される障害情報を利用して、ＳＯＮサーバ４００’’は、該障害を補償するようｍＢＳ１００に対して無線パラメータの調整を指示する。従って、障害の発生時には、好適に障害の補償を実現出来る。
【０１０９】
本発明は、上述した実施例に限られるものではなく、請求の範囲及び明細書全体から読み取れる発明の要旨或いは思想に反しない範囲で適宜変更可能であり、そのような変更を伴う移動通信システム、通信制御装置、通信制御方法及び無線基地局等もまた本発明の技術的範囲に含まれるものである。
【０１１０】
以上、本明細書で説明した実施形態について、以下の付記を更に記載する。
【０１１１】
（付記１）
第１の無線基地局と、該第１の無線基地局のサービスエリア内に位置し、前記第１の無線基地局より小さいサービスエリアを有する第２の無線基地局と、前記第１及び第２の無線基地局の夫々と接続可能な無線端末と、前記第１及び第２の無線基地局を制御する通信制御装置とを備える移動通信システムであって、
前記通信制御装置は、
前記第１の無線基地局に対して、通信用パラメータの調整を制御する無線基地局制御部と、
前記第１の無線基地局の通信用パラメータに変更がある場合に、前記通信用パラメータに変更があった第１の無線基地局のサービスエリア内に位置する前記第２の無線基地局に対して、前記第１の無線基地局の無線品質を測定するように指示する測定指示部と、
前記第２の無線基地局が測定する前記無線品質を取得する測定取得部と、
前記無線品質に基づいて、前記第１の無線基地局の通信用パラメータの調整を行うか否かを判断する最適化判断部と
を備え、
前記第２の無線基地局は、
前記通信制御装置から送信される前記無線品質の測定指示を受信する受信部と、
前記通信制御装置からの指示により指定された前記第１の無線基地局の前記無線品質を測定する測定部と、
測定した前記無線品質を前記通信制御装置に送信する送信部と
を備えることを特徴とする移動通信システム。
【０１１２】
（付記２）
前記測定指示部は、前記通信用パラメータの変更が影響する前記第１の無線基地局に接続する前記無線端末に対して、前記第１の無線基地局の前記無線品質を測定するよう指示し、
前記測定取得部は、前記無線端末が測定する前記無線品質を取得することを特徴とする付記１に記載の移動通信システム。
【０１１３】
（付記３）
前記測定指示部は、前記通信用パラメータの変更が影響する前記第１の無線基地局に接続する前記無線端末のうち、前記第２の無線基地局の送信電波を受信しない前記無線端末に対して、前記第１の無線基地局の前記無線品質を測定するよう指示することを特徴とする付記２記載の移動通信システム。
【０１１４】
（付記４）
前記最適化判断部は、前記第１の無線基地局における前記通信用パラメータの変更前の前記無線品質及び変更後の前記無線品質を比較することで、更なる前記通信用パラメータの調整が必要であるか否かを判断することを特徴とする付記１から３のいずれか一項に記載の移動通信システム。
【０１１５】
（付記５）
前記測定指示部は、前記第１の無線基地局における前記通信用パラメータの変更前の前記無線品質に基づいて、該通信用パラメータの変更が測定される前記無線品質に影響すると判断される前記第２の無線基地局に対して、前記第１の無線基地局の前記無線品質を測定するよう指示することを特徴とする付記１から４のいずれか一項に記載の移動通信システム。
【０１１６】
（付記６）
前記通信制御装置は、前記第１の無線基地局に係る障害情報を前記無線端末から取得する障害情報取得部を更に備え、
前記測定指示部は、前記障害情報から特定される障害発生箇所に位置する前記第２の無線基地局に対して、前記第１の無線基地局の前記無線品質を測定するよう指示することを特徴とする付記１から５のいずれか一項に記載の移動通信システム。
【０１１７】
（付記７）
第１の無線基地局、及び該第１の無線基地局のサービスエリア内に位置し、前記第１の無線基地局より小さいサービスエリアを有する第２の無線基地局を制御する通信制御装置であって、
前記第１の無線基地局に対して、通信用パラメータの調整を制御する無線基地局制御部と、
前記第１の無線基地局の通信用パラメータに変更がある場合に、前記通信用パラメータに変更があった第１の無線基地局のサービスエリア内に位置する前記第２の無線基地局に対して、前記第１の無線基地局の無線品質を測定するように指示する測定指示部と、
前記第２の無線基地局が測定する前記無線品質を取得する測定取得部と、
前記無線品質に基づいて、前記第１の無線基地局の通信用パラメータの調整を行うか否かを判断する最適化判断部と
を備えることを特徴とする通信制御装置。
【０１１８】
（付記８）
第１の無線基地局と、該第１の無線基地局のサービスエリア内に位置し、前記第１の無線基地局より小さいサービスエリアを有する第２の無線基地局と、前記第１及び第２の無線基地局の夫々と接続可能な無線端末と、前記第１及び第２の無線基地局を制御する通信制御装置とを備える移動通信システムにおける通信制御方法であって、
前記第１の無線基地局の通信用パラメータの調整を制御する無線基地局制御工程と、
前記第１の無線基地局の通信用パラメータに変更がある場合に、前記通信用パラメータに変更があった第１の無線基地局のサービスエリア内に位置する前記第２の無線基地局に対して、前記第１の無線基地局の無線品質を測定するように指示する測定指示工程と、
前記第２の無線基地局が前記通信制御装置からの指示により指定された前記第１の無線基地局の前記無線品質を測定する測定工程と、
前記第２の無線基地局が測定する前記無線品質を取得する測定取得工程と、
前記無線品質に基づいて、前記第１の無線基地局の通信用パラメータの調整を行うか否かを判断する最適化判断工程と
を備えることを特徴とする通信制御方法。
【０１１９】
（付記９）
他の無線基地局のサービスエリア内に位置し、前記他の無線基地局より小さいサービスエリアを有する無線基地局であって、
無線品質の測定指示を受信する受信部と、
前記測定指示により指定された前記他の無線基地局の前記無線品質を測定する測定部と、
測定した前記無線品質を送信する送信部と
を備えることを特徴とする無線基地局。
【０１２０】
（付記１０）
前記無線基地局は、
接続する無線端末に対して、前記他の無線基地局の前記無線品質を測定するように指示する測定指示部と、
前記無線端末が測定した前記無線品質を受信する測定取得部と
を更に備え、
前記送信部は、前記無線端末が測定した前記無線品質を送信することを特徴とする付記９記載の無線基地局。
【０１２１】
（付記１１）
前記無線基地局は、測定される前記他の無線基地局の前記無線品質に基づいて当該無線基地局の通信用パラメータを変更する通信用パラメータ設定部を更に備えることを特徴とする付記１０又は１１に記載の無線基地局。
【０１２２】
（付記１２）
第１の無線基地局と、該第１の無線基地局のサービスエリア内に位置し、前記第１の無線基地局より小さいサービスエリアを有する第２の無線基地局と、前記第１及び第２の無線基地局を制御する通信制御装置とを備える移動通信システムであって、
前記通信制御装置は、
前記第１の無線基地局のサービスエリア内に位置する前記第２の無線基地局に対して、前記第１の無線基地局の無線品質を測定するように指示する測定指示部と、
前記第２の無線基地局が測定する前記無線品質を取得する測定取得部と、
前記無線品質に基づいて、前記第１の無線基地局の通信用パラメータの調整を行うか否かを判断する最適化判断部と
前記第１の無線基地局の前記通信用パラメータの調整を行うと判断される場合に、前記第１の無線基地局に対して、通信用パラメータの調整を制御する無線基地局制御部と
を備え、
前記第２の無線基地局は、
前記通信制御装置から送信される前記無線品質の測定指示を受信する受信部と、
前記通信制御装置からの指示により指定された前記第１の無線基地局の前記無線品質を測定する測定部と、
測定した前記無線品質を前記通信制御装置に送信する送信部と
を備えることを特徴とする移動通信システム。
【０１２３】
（付記１３）
第１の無線基地局、及び該第１の無線基地局のサービスエリア内に位置し、前記第１の無線基地局より小さいサービスエリアを有する第２の無線基地局を制御する通信制御装置であって、
前記第１の無線基地局のサービスエリア内に位置する前記第２の無線基地局に対して、前記第１の無線基地局の無線品質を測定するように指示する測定指示部と、
前記第２の無線基地局が測定する前記無線品質を取得する測定取得部と、
前記無線品質に基づいて、前記第１の無線基地局の通信用パラメータの調整を行うか否かを判断する最適化判断部と、
前記第１の無線基地局の前記通信用パラメータの調整を行うと判断される場合に、前記第１の無線基地局に対して、通信用パラメータの調整を制御する無線基地局制御部と
を備えることを特徴とする通信制御装置。
【０１２４】
（付記１４）
第１の無線基地局と、該第１の無線基地局のサービスエリア内に位置し、前記第１の無線基地局より小さいサービスエリアを有する第２の無線基地局と、前記第１及び第２の無線基地局を制御する通信制御装置とを備える移動通信システムにおける通信制御方法であって、
前記第１の無線基地局の通信用パラメータに変更がある場合に、前記通信用パラメータに変更があった第１の無線基地局のサービスエリア内に位置する前記第２の無線基地局に対して、前記第１の無線基地局の無線品質を測定するように指示する測定指示工程と、
前記第２の無線基地局が前記通信制御装置からの指示により指定された前記第１の無線基地局の前記無線品質を測定する測定工程と、
前記第２の無線基地局が測定する前記無線品質を取得する測定取得工程と、
前記無線品質に基づいて、前記第１の無線基地局の通信用パラメータの調整を行うか否かを判断する最適化判断工程と、
前記第１の無線基地局の前記通信用パラメータの調整を行うと判断される場合に、前記第１の無線基地局に対して、通信用パラメータの調整を制御する無線基地局制御工程と
を備えることを特徴とする通信制御方法。
【０１２５】
（付記１５）
前記測定指示部は、前記第１の無線基地局の通信用パラメータに変更がある場合に、前記通信用パラメータに変更があった第１の無線基地局のサービスエリア内に位置する前記第２の無線基地局のうち、前記第１の無線基地局のサービスエリアの境界近傍に位置する前記第２の無線基地局に対して、前記第１の無線基地局の無線品質を測定するように指示することを特徴とする付記１から６のいずれか一項に記載の移動通信システム。
【符号の説明】
【０１２６】
１００  ｍＢＳ、
２００  ｆＢＳ、
３００  ＵＥ、
４００  ＳＯＮサーバ、
４０１  ＬＳＩ、
４０２  ＣＰＵ、
４０３  メモリ、
４１１  ｍＢＳ制御部、
４１２  対象ｆＢＳ選択部、
４１３  測定指示部、
４１４  ｆＢＳ位置データベース、
４１５  測定取得部、
４１６  無線品質データベース、
４１７  最適化判断部、
４１８  対象ＵＥ選択部、
４１９  ＵＥ位置データベース、
４２０  障害情報取得部、
４２１  障害情報データベース。
【図１】
0005648408.tif 000002
【図２】
0005648408.tif 000003
【図３】
0005648408.tif 000004
【図４】
0005648408.tif 000005
【図５】
0005648408.tif 000006
【図６】
0005648408.tif 000007
【図７】
0005648408.tif 000008
【図８】
0005648408.tif 000009
【図９】
0005648408.tif 000010
【図１０】
0005648408.tif 000011
【図１１】
0005648408.tif 000012
【図１２】
0005648408.tif 000013
【図１３】
0005648408.tif 000014
【図１４】
0005648408.tif 000015
【図１５】
0005648408.tif 000016
【図１６】
0005648408.tif 000017
【図１７】
0005648408.tif 000018
【図１８】
0005648408.tif 000019